(57)【要約】【課題】本発明は、複数の文書を選別条件、処理条件に応じてグループ化、ソート処理を行って文書処理する。【解決手段】画像処理システム１は、ホスト装置ＨＳ１〜ＨＳｎから印刷要求されてプリントサーバＳｖに保管された文書を、画像形成装置Ｇｋに取り込んで、ハードディスク２４に蓄積する。画像形成装置Ｇｋは、グループ条件、ソート条件及び文書処理条件を含む蓄積文書処理条件の付与されている蓄積文書を含む複数の文書をハードディスク２４に蓄積し、蓄積されている複数の文書を、蓄積文書処理条件のグループ化条件に基づいて、グループ文書としてグループ化し、ソート条件に基づいて、グループ文書の文書をソートして、文書処理条件に基づいて、文書処理を実行する。【選択図】          図１
2017046251.tif 000002
【特許請求の範囲】
【請求項１】
グループ条件、ソート条件及び文書処理条件を含む蓄積文書処理条件の付与されている蓄積文書を含む複数の文書を蓄積する蓄積手段と、
前記蓄積文書処理条件の前記ループ化条件に基づいて、前記文書をグループ文書としてグループ化するグループ化手段と、
前記蓄積文書処理条件の前記ソート条件に基づいて、前記グループ文書の前記文書をソートするソート手段と、
前記蓄積文書処理条件の前記文書処理条件に基づいて、前記グループ化及び前記ソートされた前記グループ文書に対して文書処理を実行する文書処理実行手段と、
前記蓄積文書処理条件の付与されている文書を、前記蓄積手段の文書から検知する検知手段と、
前記検知手段による検知結果に基づいて、前記蓄積文書処理条件に基づいて、前記グループ化手段、前記ソート手段及び前記文書処理実行手段の動作を制御する制御手段と、
を備えていることを特徴とする画像処理装置。
【請求項２】
前記グループ化手段は、
前記グループ化条件として、前記文書に付加されている特定のＩＤ、該文書の文書処理要求時期、該文書の作成に使用されたアプリケーションソフトウェア、該文書のページ条件及び前記文書処理条件のうち少なくとも１つを用いて該文書をグループ化することを特徴とする請求項１記載の画像処理装置。
【請求項３】
前記画像処理装置は、
外部装置からの文書処理要求に応じて前記文書を受け取って前記蓄積手段へ蓄積する文書受取手段を、
さらに備え、
前記グループ化手段は、
特定の前記外部装置を前記グループ化条件として、該外部装置から受け取った前記文書をグループ化することを特徴とする請求項１または請求項２記載の画像処理装置。
【請求項４】
前記ソート手段は、
前記文書の文書名、文書番号、該文書に付与されているページ順、該文書に対する前記文書処理要求順のうち、少なくとも１つを前記ソート条件として、前記グループ文書をソートすることを特徴とする請求項１から請求項３のいずれかに記載の画像処理装置。
【請求項５】
前記画像処理装置は、
前記文書処理実行手段が、前記画像処理として、前記文書と前記蓄積文書処理条件の前記文書処理条件としての印刷条件に基づいて、被記録媒体に画像を印刷出力することを特徴とする請求項１から請求項４のいずれかに記載の画像処理装置。
【請求項６】
前記グループ化手段は、
前記文書処理条件としての印刷条件、印刷における被記録媒体の種類、サイズ、向き、該印刷後の後処理条件のうち、少なくとも１つを前記グループ化条件として前記文書をグループ化することを特徴とする請求項５記載の画像処理装置。
【請求項７】
前記ソート手段は、
前記文書処理としての印刷条件における被記録媒体の種類、サイズ、向き及び該印刷後の後処理条件のうち、少なくとも１つを前記ソート条件として、前記グループ文書をソートすることを特徴とする請求項５または請求項６記載の画像処理装置。
【請求項８】
前記文書処理実行手段は、
前記グループ化及び前記ソートされた前記グループ文書を１つの文書として文書処理を実行することを特徴とする請求項１から請求項７のいずれかに記載の画像処理装置。
【請求項９】
ホスト装置から文書を画像処理装置に送信し、該画像処理装置が、複数の文書を蓄積して、蓄積した該文書に対して文書処理を行う画像処理システムであって、
グループ条件、ソート条件及び文書処理条件を含む蓄積文書処理条件の付与されている蓄積文書を含む複数の文書を蓄積する蓄積手段と、
前記蓄積文書処理条件の前記ループ化条件に基づいて、前記文書をグループ文書としてグループ化するグループ化手段と、
前記蓄積文書処理条件の前記ソート条件に基づいて、前記グループ文書の前記文書をソートするソート手段と、
前記蓄積文書処理条件の前記文書処理条件に基づいて、前記グループ化及び前記ソートされた前記グループ文書に対して文書処理を実行する文書処理実行手段と、
前記蓄積文書処理条件の付与されている文書を、前記蓄積手段の文書から検知する検知手段と、
前記検知手段による検知結果に基づいて、前記蓄積文書処理条件に基づいて、前記グループ化手段、前記ソート手段及び前記文書処理実行手段の動作を制御する制御手段と、
を備えていることを特徴とする画像処理システム。
【請求項１０】
グループ条件、ソート条件及び文書処理条件を含む蓄積文書処理条件の付与されている蓄積文書を含む複数の文書を蓄積手段に蓄積する蓄積処理ステップと、
前記蓄積文書処理条件の前記ループ化条件に基づいて、前記文書をグループ文書としてグループ化するグループ化処理ステップと、
前記蓄積文書処理条件の前記ソート条件に基づいて、前記グループ文書の前記文書をソートするソート処理ステップと、
前記蓄積文書処理条件の前記文書処理条件に基づいて、前記グループ化及び前記ソートされた前記グループ文書に対して文書処理を実行する文書処理実行処理ステップと、
前記蓄積文書処理条件の付与されている文書を、前記蓄積手段の文書から検知する検知処理ステップと、
前記検知処理ステップでの検知結果に基づいて、前記蓄積文書処理条件に基づいて、前記グループ化処理ステップ、前記ソート処理ステップ及び前記文書処理実行処理ステップでの動作を制御する制御処理ステップと、
を有していることを特徴とする画像処理方法。
【請求項１１】
制御プロセッサに、
グループ条件、ソート条件及び文書処理条件を含む蓄積文書処理条件の付与されている蓄積文書を含む複数の文書を蓄積手段に蓄積する蓄積処理と、
前記蓄積文書処理条件の前記ループ化条件に基づいて、前記文書をグループ文書としてグループ化するグループ化処理と、
前記蓄積文書処理条件の前記ソート条件に基づいて、前記グループ文書の前記文書をソートするソート処理と、
前記蓄積文書処理条件の前記文書処理条件に基づいて、前記グループ化及び前記ソートされた前記グループ文書に対して文書処理を実行する文書処理実行処理と、
前記蓄積文書処理条件の付与されている文書を、前記蓄積手段の文書から検知する検知処理と、
前記検知処理での検知結果に基づいて、前記蓄積文書処理条件に基づいて、前記グループ化処理、前記ソート処理及び前記文書処理実行処理での動作を制御する制御処理と、
を実行させることを特徴とするプログラム。
【発明の詳細な説明】
【技術分野】
【０００１】
本発明は、画像処理装置、画像処理システム、画像処理方法及びプログラムに関し、詳細には、複数の文書に対して画像処理する画像処理装置、画像処理システム、画像処理方法及びプログラムに関する。
【背景技術】
【０００２】
従来から、複写装置、複合装置等の画像形成装置は、ハードディスク等の大容量記憶部に複数の文書（印刷ジョブ）を蓄積して、適宜印刷出力する蓄積印刷処理機能を有している。
【０００３】
この蓄積印刷処理機能においては、蓄積された複数の文書を１つの文書として纏めて印刷したり、用紙選択、出力部数、後処理（ソート、ステープル等）、編集・印字（とじしろ、ページ数印字）等の印刷条件の追加・変更が行われることがある。
【０００４】
そして、従来、複数の印刷ジョブをその投入順にしたがって順次印刷する印刷制御装置において、印刷ジョブ毎に、そのジョブ内から任意の情報を抽出する為の抽出条件を指定する条件指定手段と、この条件指定手段によって指定された抽出条件にしたがって各印刷ジョブ内を検索することにより、当該条件に合致する情報を抽出する抽出手段と、この抽出手段によって印刷ジョブ毎に抽出された各情報をキーとして、複数の印刷ジョブの印刷順を変更する印刷順変更手段と、この印刷順変更手段によって変更された印刷順にしたがって複数の印刷ジョブをジョブ単位毎に順次印刷させる印刷制御手段と、を具備した印刷制御装置が提供されている（特許文献１参照）。
【０００５】
すなわち、この従来技術は、指定された抽出条件に基づいて抽出した印刷ジョブ毎の情報をキーとして、印刷ジョブの印刷順序を決定して、ジョブ単位で印刷ジョブを印刷している。
【発明の概要】
【発明が解決しようとする課題】
【０００６】
しかしながら、上記従来技術にあっては、単に、複数の印刷ジョブの印刷順序を、指定の抽出条件で決定するのみであるため、蓄積されている複数の文書を纏めて、処理条件に応じた処理を効率的に行う場合には、不十分であり、改良の必要があった。
【０００７】
そこで、本発明は、蓄積されている複数の文書に対して、選別条件と処理条件に応じた文書処理を容易に行うことを目的としている。
【課題を解決するための手段】
【０００８】
上記目的を達成するために、請求項１記載の画像処理装置は、グループ条件、ソート条件及び文書処理条件の付与されている蓄積文書を含む複数の文書を蓄積する蓄積手段と、前記蓄積文書処理条件の前記ループ化条件に基づいて、前記文書をグループ文書としてグループ化するグループ化手段と、前記蓄積文書処理条件の前記ソート条件に基づいて、前記グループ文書の前記文書をソートするソート手段と、前記蓄積文書処理条件の前記文書処理条件に基づいて、前記グループ化及び前記ソートされた前記グループ文書に対して文書処理を実行する文書処理実行手段と、前記蓄積文書処理条件の付与されている文書を、前記蓄積手段の文書から検知する検知手段と、前記検知手段による検知結果に基づいて、前記蓄積文書処理条件に基づいて、前記グループ化手段、前記ソート手段及び前記文書処理実行手段の動作を制御する制御手段と、を備えていることを特徴としている。
【発明の効果】
【０００９】
本発明によれば、蓄積されている複数の文書に対して、選別条件と処理条件に応じた文書処理を容易に行うことができる。
【図面の簡単な説明】
【００１０】
【図１】本発明の一実施例を適用した画像処理システムの構成図。
【図２】画像形成装置の機能ブロック図。
【図３】画像処理のシーケンス図。
【図４】蓄積文書印刷処理を示すフローチャート。
【図５】グループ文書作成処理を示すフローチャート。
【図６】ソート処理を示すフローチャート。
【発明を実施するための形態】
【００１１】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１２】
図１〜図６は、本発明の画像処理装置、画像処理システム、画像処理方法及びプログラムの一実施例を示す図であり、図１は、本発明の画像処理装置、画像処理システム、画像処理方法及びプログラムの一実施例を適用した画像処理システム１の構成図である。
【００１３】
図１において、画像処理システム１は、ＬＡＮ（Local Area Network）等のネットワークＮＷに、画像形成装置（画像処理装置）Ｇｋが、プリントサーバＳｖに接続されており、プリントサーバＳｖには、複数のホスト装置ＨＳ１〜ＨＳｎが接続されている。
【００１４】
ホスト装置ＨＳとプリントサーバＳｖとの間のネットワークＮＷと、プリントサーバＳｖと画像形成装置Ｇｋとは、同じであってもよいし、異なってもよい。また、画像処理システム１は、図１では、プリントサーバＳｖに、１台の画像形成装置Ｇｋが接続されている場合が記載されているが、複数の画像形成装置Ｇｋが接続されていてもよい。
【００１５】
ホスト装置ＨＳ１〜ＨＳｎは、通常のハードウェア構成及びソフトウェア構成のコンピュータ等が用いられており、Windows（登録商標）等のＯＳ（Operating System）上にアプリケーションソフトウェア、プリンタドライバ等を搭載している。
【００１６】
ホスト装置ＨＳ１〜ＨＳｎは、ＯＳ上に搭載されている電子メール、文書作成ソフトウェア、図形作成ソフトウェア、表計算ソフトウェア等のアプリケーションソフトウェアで、文書が作成される。ホスト装置ＨＳ１〜ＨＳｎは、作成された文書に対して印刷要求等の文書処理要求が行われると、プリンタドライバで、蓄積文書処理条件（蓄積印刷条件）の設定を含む文書処理条件（印刷条件）の設定を可能とする。ホスト装置ＨＳ１〜ＨＳｎは、設定された文書条件と文書を文書処理ジョブ（印刷ジョブ等）としてプリントサーバＳＶへ送信する。ここで、蓄積文書処理条件とは、画像形成装置Ｇｋに蓄積されている文書に対して施すグループ化処理、ソート処理及び文書処理におけるグループ化条件、ソート条件及び印刷条件を含む処理条件である。
【００１７】
グループ化条件は、画像形成装置Ｇｋに蓄積される複数の文書を、１つの文書としてグループ化するため条件である。グループ化条件は、例えば、文書の作成に使用されたアプリケーションソフトウェア、該文書のページ条件、文書処理条件（印刷条件等）、印刷後の後処理条件等である。アプリケーションソフトウェアは、例えば、Ｗｏｒｄ（登録商標）、Ｅｘｃｅｌ（登録商標）、ＰｏｗｅｒＰｏｉｎｔ（登録商標）等である。ページ条件は、文書のページ数、ページ配置等である。印刷条件は、解像度（ドット数）、用紙（被記録媒体）の種類、用紙サイズ、印刷方向等である。後処理条件は、印刷後の用紙に施す後処理の条件であり、ステープル、パンチ、折り処理等である。
【００１８】
ソート条件は、グループ化された文書の順番をソートするための条件である。ソート条件は、文書名、文書処理要求日時（印刷要求日時等）、文書番号、ページ情報、用紙サイズ、用紙方向、用紙種類、後処理条件等である。
【００１９】
文書処理条件は、グループ化し、ソートした後の文書に対して印刷等の文書処理を施す際の条件であり、通常の印刷において設定される印刷条件等と同様である。例えば、印刷条件では、解像度、用紙種類、用紙方向、用紙サイズ等である。
【００２０】
ホスト装置ＨＳ１〜ＨＳｎは、文書処理要求で指定された上記グループ化条件、ソート条件及び文書処理条件を蓄積文書処理条件として文書に付加して、文書処理ジョブ（印刷ジョブ等）として、プリントサーバＳｖへネットワークＮＷを介して送信する。
【００２１】
プリントサーバＳｖは、通常のプリントサーバとしてのハードウェア構成とソフトウェア構成を有したサーバである。プリントサーバＳｖは、ネットワークＮＷに接続して、ネットワークＮＷ上のホスト装置ＨＳ１〜ＨＳｎ及び画像形成装置Ｇｋ等と通信し、ホスト装置ＨＳ１〜ＨＳｎと画像形成装置Ｇｋの間の文書処理ジョブ（印刷ジョブ等）の受け渡しを行う。
【００２２】
画像形成装置Ｇｋは、複合装置、複写装置、ファクシミリ装置、プリンタ装置、スキャナ装置、コンピュータ等の画像形成装置であり、コントローラ１０、スキャナ部１１、プリンタ部１２及び操作表示部１３等を備えている。
【００２３】
画像形成装置Ｇｋは、図１に示すようにブロック構成されており、コントローラ１０、スキャナ部１１、プリンタ部１２及び操作表示部１３等を備えている。
【００２４】
操作表示部１３は、各種キーを備えているとともに、ディスプレイを備えている。操作表示部１３は、キーにより画像形成装置Ｇｋの各種動作命令等が入力され、ディスプレイに、キーから入力された内容や画像形成装置Ｇｋからユーザへ通知する各種情報を表示する。
【００２５】
スキャナ部１１としては、例えば、光電変換素子としてＣＣＤ(Charge Coupled Device)またはＣＭＯＳ（Complementary Metal Oxide Semiconductor ）を用いたスキャナが用いられている。スキャナ部１１は、原稿を走査して、該原稿の画像を読み取って画像データを出力する画像読取機能を実行する。
【００２６】
プリンタ部１２は、例えば、インク吐出方式、電子写真方式のプリンタが用いられている。プリンタ部１２は、インク吐出方式のプリンタの場合、各色（ＲＢＧ色、ＭＣＹＫ色等）のインクを吐出するノズルの形成されている記録ヘッドを備えており、電子写真方式のプリンタの場合、例えば、各色の作像ユニット等を備えている。プリンタ部１２は、描画データと印刷条件に基づいて、用紙（被記録媒体）に、ノズル、トナー等の記録剤を付与して画像を形成する画像形成機能を実行する。描画データは、コントローラ１０により、スキャナ部１１の読み取った原稿の画像データやホスト装置ＨＳ１〜ＨＳｎからネットワークＮＷを介して送信されてきた画像データから生成される。
【００２７】
コントローラ１０は、ＣＰＵ（Central Processing Unit ）２１、ＲＯＭ（Read Only Memory）２２、ＲＡＭ（Random Access Memory）２３、ハードディスク（ＨＤＤ）２４、ネットワークＩ／Ｆ（インターフェイス）２５、スキャナＩ／Ｆ２６、プリンタＩ／Ｆ２７及びパネルＩ／Ｆ２８等を備えていて、各部は、バス２９で接続されている。
【００２８】
ネットワークＩ／Ｆ２５には、上記ネットワークＮＷが接続され、ネットワークＮＷを介してプリントサーバＳｖとの間で、制御信号及び印刷ジョブ等を授受する。特に、ネットワークＩ／Ｆ２５は、プリントサーバＳＶを介してホスト装置ＨＳ１〜ＨＳｎから蓄積文書処理条件の付与されている文書処理ジョブ（文書と蓄積文書処理条件を含む概念）等を受信し、ＣＰＵ２１へ渡す。
【００２９】
ＲＯＭ２２は、コントローラ１０内でのデータの処理や管理及び周辺モジュールを制御するためのプログラムを格納しているとともに、プログラムを実行するのに必要な各種データを格納している。ＲＯＭ２２は、具体的には、画像形成装置Ｇｋとしての基本処理プログラム及び本発明の画像処理方法を実行するプログラム等の各種プログラム及び必要なデータを格納している。
【００３０】
ＣＰＵ２１は、ＲＯＭ２２に格納されているプログラムに基づいて、ＲＡＭ２３をワークメモリとして利用しつつ、画像形成装置Ｇｋの各部を制御して、印刷処理、画像読取処理、複写処理、転送処理等の文書処理（画像処理）を行う。特に、ＣＰＵ２１は、ＲＯＭ２２内の本発明のプログラムに基づいて、後述する本発明の画像処理方法として、蓄積文書処理条件の付与されている文書処理ジョブに対する該蓄積文書処理条件に基づく文書処理を実行する。すなわち、ＣＰＵ２１は、後述するように、蓄積文書処理条件のグループ化条件に基づく文書のグループ化、ソート条件に基づくグループ化した文書（グループ文書）のソート処理及びグループ化してソートした文書の文書処理条件に基づく文書処理等を行う。本発明において、ＣＰＵ２１が実行する文書処理は、印刷処理、スキャナ処理、転送処理、ファクシミリ送信処理等である。
【００３１】
ＲＡＭ２３は、ＣＰＵ２１のワークメモリとして利用されるとともに、各種画像処理を行うために、画像データをページ単位に管理して一時記憶するバッファ及びバッファに記憶されたデータを実際の印刷に適した描画データに変換して展開されるビットマップメモリ等として利用される。
【００３２】
ハードディスク２４は、スキャナ部１１で読み取られた原稿の画像データ、プリントサーバＳＶを介してホスト装置ＨＳ１〜ＨＳｎから送られてきた文書処理ジョブ等のデータをＣＰＵ２１の制御下で蓄積し、また、読み出される。特に、ハードディスク２４は、複数の文書とその文書処理条件（蓄積文書処理条件を含む）を蓄積する。
【００３３】
なお、コントローラ１０は、図示しないが、外部Ｉ／Ｆを備え、外部インターフェイスに機能を追加するための追加ツールが適宜接続可能となっていてもよい。
【００３４】
スキャナＩ／Ｆ２６には、スキャナ部１１が接続されており、スキャナＩ／Ｆ２６は、コントローラ１０からスキャナ部１１への制御信号及びスキャナ部１１からコントローラ１０へのステータス信号や読取原稿の画像データ等の授受を行う。
【００３５】
プリンタＩ／Ｆ２７には、プリンタ部１２が接続されており、プリンタＩ／Ｆ２７は、コントローラ１０からプリンタ部１２への制御信号や描画データ及びプリンタ部１２からコントローラ１０へのステータス信号の授受を行う。
【００３６】
パネルＩ／Ｆ２８には、上記操作表示部１３が接続されており、パネルＩ／Ｆ２８は、ＣＰＵ２１と操作表示部１３との間の信号及びデータの授受を行う。
【００３７】
なお、画像形成装置Ｇｋは、コントローラ１０が、外部Ｉ／Ｆを備えていて、例えば、可搬性を有する外部記憶部が着脱可能に装着されていてもよい。この場合、外部記憶部としては、例えば、ＵＳＢ（Universal Serial Bus）メモリ、メモリカード（例えば、ＳＤメモリカード等）、フロッピィディスク（登録商標）等が利用される。
【００３８】
画像形成装置Ｇｋは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の画像処理方法を実行するプログラムを読み込んでＲＯＭ２２やハードディスク２４に導入することで、後述する蓄積されている複数の文書に対して、選別条件と処理条件に応じた文書処理（画像処理）を容易に行う画像処理方法を実行する画像処理装置として構築されている。この画像処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３９】
そして、画像形成装置Ｇｋは、上記画像処理方法を実行するプログラムが導入されることで、図２に示す機能ブロックが構築される。
【００４０】
すなわち、画像形成装置Ｇｋは、上記プログラムが導入されることで、図２に示すように、データ受取部３１、蓄積部３２、グループ化部３３、ソート部３４、文書処理実行部３５、検知部３６及び制御部３７が構築される。
【００４１】
データ受取部３１は、ＣＰＵ２１及びネットワークＩ／Ｆ２５により構築されており、プリントサーバＳＶを介してホスト装置ＨＳ１〜ＨＳｎからの文書処理要求に応じて文書を受け取って、蓄積部３２へ蓄積する。したがって、データ受取部３１は、文書受取手段として機能している。
【００４２】
蓄積部３２は、ハードディスク２４により構築されており、グループ条件、ソート条件及び文書処理条件を含む蓄積文書処理条件の付与されている蓄積文書を含む複数の文書を蓄積する。したがって、蓄積部３２は、蓄積手段として機能している。この蓄積文書処理条件は、上記グループ化条件、ソート条件及び文書処理条件（印刷条件、読取条件等）を含む蓄積文書に対する処理条件である。
【００４３】
グループ化部３３は、ＣＰＵ２１により構築されており、蓄積部３２に蓄積されている複数の文書を、該蓄積文書に付与されている蓄積文書処理条件のうちグループ化条件に基づいてグループ文書としてグループ化する。したがって、グループ化部３３は、グループ化手段として機能している。
【００４４】
ソート部３４は、ＣＰＵ２１により構築されており、グループ化部３３でグループ化されたグループ文書を、蓄積文書処理条件のうちソート条件に基づいてソートする。したがって、ソート部３４は、ソート手段として機能している。
【００４５】
文書処理実行部３５は、ＣＰＵ２１、プリンタ部１２、スキャナ部１１で構成されており、グループ化部３３でグループ化され、ソート部３４でソートされたグループ文書に対して、蓄積文書処理条件のうち文書処理条件に基づいて文書処理（画像処理）する。すなわち、文書処理実行部３５は、画像処理が印刷処理であるときには、蓄積文書処理条件のうち文書処理条件としての印刷条件に基づいて被記録媒体である用紙へ、グループ化、ソート処理後のグループ文書に基づいて画像を印刷出力する。また、文書処理実行部３５は、画像処理がスキャナ処理であるときには、蓄積文書処理条件のうち文書処理条件としてのスキャナ条件に基づいて原稿の画像を読み取って蓄積部３２へ蓄積する。さらに、文書処理実行部３５は、画像処理が転送処理であるときには、蓄積文書処理条件のうち文書処理条件としての転送条件に基づいて、グループ化、ソート処理後の文書に必要な画像処理を施して指定の宛先に該文書を転送する。また、文書処理実行部３５は、画像形成装置Ｇｋがファクシミリ機能を備えていて、画像処理がファクシミリ送信処理であるときには、蓄積文書処理条件のうち文書処理条件としてのファクシミリ条件に基づいてグループ化、ソート処理後の文書を指定の宛先にファクシミリ送信する。したがって、文書処理実行部３５は、文書処理実行手段として機能している。
【００４６】
検知部３６は、ＣＰＵ２１により構築されており、蓄積文書処理条件の付与されている文書を、蓄積部３２の蓄積する文書から検知する。したがって、検知部３６は、検知手段として機能している。
【００４７】
制御部３７は、ＣＰＵ２１により構築されており、検知部３６による蓄積文書処理条件の付与されている文書の検知結果に基づいて、該蓄積文書処理条件に基づいて、上記グループ化部３３、ソート部３４及び文書処理実行部３５の動作を制御する。したがって、制御部３７は、制御手段として機能している。
【００４８】
次に、本実施例の作用を説明する。本実施例の画像処理システム１は、蓄積されている複数の文書に対して、選別条件と処理条件に応じた文書処理を容易に行う。
【００４９】
すなわち、画像処理システム１は、ホスト装置ＨＳ１〜ＨＳｎからの文書をプリントサーバＳｖに一時蓄積した後、画像形成装置Ｇｋに取り込み、画像形成装置Ｇｋが該文書に付与されている文書処理条件に基づいて文書処理（画像処理）する。
【００５０】
ホスト装置ＨＳ１〜ＨＳｎは、ユーザの操作に応じて、文書に、通常の文書処理条件を付与して送信し、また、該文書に、グループ化条件、ソート条件及び文書処理条件を含む蓄積文書処理条件を付与して送信する。
【００５１】
そして、画像形成装置Ｇｋは、取り込んだ文書に、蓄積文書処理条件が付与されているか検知して、蓄積文書処理条件が付与されていると、該蓄積文書処理条件に基づいて、グループ化処理、ソート処理及び文書処理を行う。
【００５２】
すなわち、画像処理システム１は、図３に示すように、ユーザが、ホスト装置ＨＳ１〜ＨＳｎにおいて、その搭載するアプリケーションソフトウェア等によって作成した文書に対して印刷要求を行って必要な印刷設定を行う。なお、以下の説明では、文書処理として、印刷処理を行う場合について説明するが、上述のように、スキャナ処理、ファクシミリ処理、転送処理等の文書処理（画像処理）についても同様に処理することができる。
【００５３】
いま、図３において、ユーザが、ホスト装置ＨＳ１〜ＨＳｎから文書を指定して通常の印刷条件を入力すると、ホスト装置ＨＳ１〜ＨＳｎは、印刷ジョブＡを生成してプリントサーバＳｖへ送信する。なお、このとき、ホスト装置ＨＳ１〜ＨＳｎは、文書、例えば、文書Ａに対して、ユーザが設定入力した通常の印刷条件を付与して印刷ジョブＡを生成する。
【００５４】
プリントサーバＳｖは、ホスト装置ＨＳ１〜ＨＳｎから送信されてきた文書と印刷条件を含む印刷ジョブＡを内部の記憶部に蓄積する。
【００５５】
また、ユーザが、ホスト装置ＨＳ１〜ＨＳｎから文書、例えば、文書Ｂを指定して蓄積文書処理条件（なお、以下の図では、蓄積印刷条件と表記する。）を入力する。ホスト装置ＨＳ１〜ＨＳｎは、文書Ｂに蓄積文書処理条件を付与して印刷ジョブＢを生成して、プリントサーバＳｖへ送信する。
【００５６】
プリントサーバＳｖは、ホスト装置ＨＳ１〜ＨＳｎから送信されてきた文書と蓄積文書処理条件（蓄積印刷条件）を含む印刷ジョブＢを内部の記憶部に蓄積する。
【００５７】
次に、ユーザは、画像形成装置Ｇｋへ移動して、画像形成装置Ｇｋの操作表示部１３を使用して、プリントサーバＳｖからの印刷ジョブのダウンロード（ＤＬ）を要求する操作を行う。
【００５８】
画像形成装置Ｇｋは、印刷ジョブのダウンロード操作が行われると、プリントサーバＳｖに対して印刷ジョブのダウンロード要求を行い、順次、印刷ジョブをダウンロードして、ハードディスク２４に蓄積する。
【００５９】
次に、ユーザは、画像形成装置Ｇｋの操作表示部１３を操作して、蓄積印刷メニューを開き、蓄積文書処理条件を利用した文書処理指示を行う。この文書処理指示では、複数文書のグループ化、出力部数、後処理（ソート、ステープル）、編集、印字情報（とじしろ、ページ数印字）等の指示である。
【００６０】
画像形成装置Ｇｋは、ユーザによる文書処理指示に従って、蓄積した文書Ａ、Ｂに対して、グループ化、ソートを行い、印刷条件に従って、印刷処理する。画像形成装置Ｇｋは、印刷を実行する前に、操作表示部１３に印刷確認を表示して、ユーザが操作表示部１３から印刷指示操作を行うと、印刷を実行する。
【００６１】
例えば、画像形成装置Ｇｋは、印刷ジョブＢの蓄積印刷条件のグループ化条件が、「全ての蓄積文書」であると、印刷ジョブＡと印刷ジョブＢをグループ化し、ソート条件が、「アルファベット順」であると、印刷ジョブＡ−印刷ジョブＢの順にソートする。画像形成装置Ｇｋは、グループ化した印刷ジョブＡ、Ｂと、ソート結果及び印刷条件をユーザに提示し、印刷指示があると、印刷を実行する。
【００６２】
そして、画像形成装置Ｇｋは、蓄積文書印刷処理を図４に示すように実行する。すなわち、画像形成装置Ｇｋは、蓄積部３２に文書が蓄積されると、検知部３６が、蓄積部３２に蓄積されている文書に蓄積印刷条件（蓄積文書処理条件）があるか検知する（ステップＳ１０１）。
【００６３】
制御部３７は、検知部３６の検知結果から蓄積印刷条件の付与されている蓄積文書があるかチェックする（ステップＳ１０２）。
【００６４】
ステップＳ１０２で、蓄積印刷条件の付与されている蓄積文書がないと（ステップＳ１０２で、ＮＯのとき）、制御部３７は、蓄積されている文書に対して、通常の蓄積印刷処理を実行し、蓄積文書印刷処理を終了する（ステップＳ１０３）。
【００６５】
ステップＳ１０２で、蓄積印刷条件の付与されている蓄積文書があると（ステップＳ１０２で、ＹＥＳのとき）、制御部３７は、グループ化部３３に、蓄積印刷条件のグループ化条件を参照して蓄積文書をグループ化させる（ステップＳ１０４）。すなわち、グループ化部３３は、後述するように、蓄積文書をグループ化条件に従って抽出して、グループ文書を作成するグループ化処理を実行する。
【００６６】
さらに、制御部３７は、ソート部３４に、グループ文書内の文書を、蓄積印刷条件のソート条件に従ってソートさせる（ステップＳ１０５）。すなわち、ソート部３４は、後述するように、ソート条件に従って、グループ文書の文書をソートする。
【００６７】
制御部３７は、グループ文書の各文書に、蓄積印刷条件の印刷条件を適用して（ステップＳ１０６）、文書処理実行部３５に、該印刷条件に従って、グループ文書の文書を１つの文書として印刷させて処理を終了する（ステップＳ１０７）。この印刷条件は、例えば、出力部数、後処理（ソート、ステープル等）、編集、印字（とじしろ、ページ数印字）等である。
【００６８】
そして、グループ化部３３は、ステップＳ１０４のグループ化処理を、図５に示すように実行する。すなわち、グループ化部３３は、蓄積印刷条件からグループ化条件を抽出し（ステップＳ２０１）、蓄積文書を、所定の順序で、該蓄積文書のジョブ情報がグループ化条件を満たすかチェックする（ステップＳ２０２）。
【００６９】
ステップＳ２０２で、蓄積文書のジョブ情報がグループ化条件を満たすと（ステップＳ２０２で、ＹＥＳのとき）、グループ化部３３は、該蓄積文書をグループ文書に追加する（ステップＳ２０３）。
【００７０】
次に、グループ化部３３は、未処理の蓄積文書が蓄積部３２に蓄積されているかチェックする（ステップＳ２０４）。
【００７１】
ステップＳ２０２で、蓄積文書のジョブ情報がグループ化条件を満たしていないと（ステップＳ２０２で、ＮＯのとき）、グループ化部３３は、そのまま、未処理の蓄積文書が蓄積部３２に蓄積されているかチェックする（ステップＳ２０４）。
【００７２】
ステップＳ２０４で、未処理の蓄積文書が蓄積部３２に蓄積されていると（ステップＳ２０４で、ＹＥＳのとき）、グループ化部３３は、ステップＳ２０２に戻って、上記同様に処理する（ステップＳ２０２〜Ｓ２０４）。
【００７３】
ステップＳ２０４で、未処理の蓄積文書が蓄積部３２に蓄積されていないと（ステップＳ２０４で、ＮＯのとき）、グループ化部３３は、グループ化処理を終了する。
【００７４】
そして、グループ化部３３は、蓄積文書をグループ化するグループ化条件として、以下のような条件を用いる。
【００７５】
１）グループ化時点において蓄積部３２に蓄積されている全ての文書
２）特定のＩＤが付与されている文書
３）特定の期間に印刷要求された文書
４）特定のホスト装置ＨＳ１〜ＨＳｎから印刷要求された文書
５）同じアプリケーションにより印刷要求された文書
６）指定のページ条件に合致する文書
７）指定の印刷条件に合致する文書
８）指定の後処理条件に合致する文書
すなわち、グループ化部３３は、１）のグループ化条件では、グループ化時点において画像形成装置Ｇｋの蓄積部３２に蓄積されている全ての文書をグループ化する。
【００７６】
グループ化部３３は、２）のグループ化条件では、蓄積文書のジョブ情報にグループ化条件が指定するＩＤ（グループ化するためのＩＤ）または文字列が付与されている文書をグループ化する。例えば、グループ化部３３は、蓄積文書Ａのジョブ情報に、「GroupA」、蓄積文書Ｂのジョブ情報に、「GroupA」のグループ化文字列が付与されており、グループ化条件が「GroupA」であると、蓄積文書Ａと蓄積文書Ｂをグループ化する。なお、ジョブ情報は、上述のように、ユーザがホスト装置ＨＳ１〜ＨＳｎから印刷ジョブを送信する際に付与するプリンタ言語やユーザ認証情報等の印刷ジョブに関する属性情報で、その属性のひとつとしてグループ化ＩＤ、文字列が付与されているものとする。
【００７７】
グループ化部３３は、３）のグループ化条件では、蓄積文書の印刷要求時刻がグループ化条件の指定する期間に含まれる文書をグループ化する。したがって、画像形成装置Ｇｋは、３）のグループ化により、蓄積文書をその印刷要求時刻で限定してまとめて印刷することができる。例えば、画像形成装置Ｇｋは、過去に蓄積した文書が残っていた場合等に意図せずにグループ化されることを回避することができる。なお、蓄積文書の印刷要求時刻は、ジョブ情報に含まれている。
【００７８】
グループ化部３３は、４）のグループ化条件では、蓄積文書の印刷要求を行ったホスト装置ＨＳ１〜ＨＳｎの名称がグループ化条件の指定する名称である文書をグループ化する。したがって、画像形成装置Ｇｋは、４）のグループ化条件により、蓄積文書を、印刷要求を行ったホスト装置ＨＳ１〜ＨＳｎの名称でまとめて印刷することができる。例えば、画像形成装置Ｇｋは、過去に異なるホスト装置ＨＳ１〜ＨＳｎから蓄積した文書が残っていた場合等に意図せずにグループ化されることを回避することできる。なお、蓄積文書の印刷要求を行ったホスト装置ＨＳ１〜ＨＳｎの名称は、ジョブ情報に含まれている。
【００７９】
グループ化部３３は、５）のグループ化条件では、蓄積文書の印刷要求を行ったアプリケーションが同一の文書をグループ化する。したがって、例えば、画像形成装置Ｇｋは、蓄積文書にWord（登録商標）、Excel（登録商標）、PowerPoint（登録商標）等で作成された文書が混在して蓄積部３２に蓄積されている場合、これらの異なるアプリケーションで作成された文書が混在してグループ化されることを回避することができる。なお、蓄積文書の印刷要求を行ったアプリケーションの情報は、ジョブ情報に含まれている。
【００８０】
グループ化部３３は、６）のグループ化条件では、蓄積文書のページ数が指定の条件に合致する文書をグループ化する。例えば、グループ化部３３は、指定のページ条件が「５ページ以下」のとき、５ページ以下の蓄積文書をグループ化し、６ページ以上の蓄積文書をグループ化から排除する。また、グループ化部３３は、指定のページ条件と合わせてグループ文書の最大ページ数が指定されていると、指定のページ数以上の文書をグループ化から排除する。したがって、画像形成装置Ｇｋは、例えば、グループ文書のページ数が膨大になって、印刷時の後処理に影響がでることを回避できる。なお、蓄積文書のページ数は、ジョブ情報に含まれている。
【００８１】
グループ化部３３は、７）のグループ化条件では、蓄積文書の印刷条件が指定の条件に合致する文書をグループ化する。例えば、グループ化部３３は、指定の印刷条件が「Ａ４」であると、Ａ４の蓄積文書をグループ化し、Ａ４でない蓄積文書についてはグループ化から排除する。指定の印刷条件は、「普通紙」等の用紙種類、「600×600dpi」等の解像度等、また、これらの組み合わせである。また、画像形成装置Ｇｋは、指定の印刷条件を印刷実行する画像形成装置Ｇｋが印刷可能な条件とすると、印刷を希望する画像形成装置Ｇｋにおいて印刷できない条件が付与された蓄積文書がグループ化されることを回避することができる。なお、蓄積文書の印刷条件は、ジョブ情報に含まれている。
【００８２】
グループ化部３３は、８）のグループ化条件では、蓄積文書の後処理条件が指定の後処理条件に合致する文書をグループ化し、後処理条件が指定の条件に合致しない文書をグループ化から排除する。また、画像形成装置Ｇｋは、８）のグループ化条件おいては、後処理条件が指定されていない文書については、指定の後処理条件を適用するかどうかを指定できるようにしてもよい。例えば、グループ化部３３は、指定の後処理条件が「ステープル」、後処理条件のない文書には「適用する」であると、後処理条件として「ステープル」が指定されている蓄積文書と後処理条件が指定されていない蓄積文書をグループ化し、「パンチ」等の他の後処理が指定されている蓄積文書をグループ化から排除する。したがって、画像形成装置Ｇｋは、異なる後処理条件が指定されている蓄積文書がグループ化されて意図しない後処理が実行されることを回避することができる。なお、蓄積文書の後処理条件は、ジョブ情報に含まれている。
【００８３】
そして、ソート部３４は、ステップＳ１０５のソート処理を、図６に示すように実行する。なお、ソートのアルゴリズムとしては、適宜のアルゴリズムを用いることができ、図６では、バブルソートを用いた例を示している。
【００８４】
すなわち、ソート部３４は、蓄積印刷条件からソート条件を抽出し（ステップＳ３０１）、グループ文書内の全ての蓄積文書の順番が確定しているかチェックする（ステップＳ３０２）。
【００８５】
ステップＳ３０２で、グループ文書内の全ての蓄積文書の順番が確定していないと（ステップＳ３０２で、ＮＯのとき）、ソート部３４は、ソート判定対象の蓄積文書のジョブ情報と次の蓄積文書のジョブ情報を比較する（ステップＳ３０３）。
【００８６】
ソート部３４は、比較結果から蓄積文書の順番を入れ替えるかチェックする（ステップＳ３０４）。
【００８７】
ステップＳ３０４で、蓄積文書の順番を入れ替えるときには（ステップＳ３０４で、ＹＥＳのとき）、ソート部３４は、蓄積文書の順番を入れ替え（ステップＳ３０５）、次の蓄積文書の順番が確定しているか否かチェクする（ステップＳ３０６）。すなわち、この場合、ソート部３４は、ソート判定対象の蓄積文書と次の蓄積文書の順番を入れ替える。
【００８８】
ステップＳ３０４で、蓄積文書の順番を入れ替えないときには（ステ３０４で、ＮＯのとき）、ソート部３４は、蓄積文書の順番の入れ替えを行うことなく、次の蓄積文書の順番が確定しているかチェクする（ステップＳ３０６）。
【００８９】
ステップＳ３０６で、次の蓄積文書の順番が確定していないと（ステップＳ３０６で、ＮＯのとき）、ソート部３４は、ソート対象の蓄積文書として、次の蓄積文書を選択する（ステップＳ３０７）。ソート部３４は、次の蓄積文書を選択すると、ステップＳ３０３に戻って、上記同様の処理を行う（ステップＳ３０３〜Ｓ３０７）。
【００９０】
ステップＳ３０６で、次の蓄積文書の順番が確定していると（ステップＳ３０６で、ＹＥＳのとき）、ソート部３４は、ソート判定対象の蓄積文書の順番を確定させる（ステップＳ３０８）。ソート部３４は、ソート対象の蓄積文書の順番を確定させると、ステップＳ３０２に戻って、グループ文書内の全ての蓄積文書の順番が確定したか否かのチェックから上記同様に処理する（ステップＳ３０２〜Ｓ３０８）。
【００９１】
ステップＳ３０８で、グループ文書内の全ての蓄積文書の順番が確定すると（ステップＳ３０２で、ＹＥＳのとき）、ソート部３４は、ソート処理を終了する。
【００９２】
そして、ソート部３４は、グループ文書内の蓄積文書をソートするソート条件として、以下のような条件を用いる。
【００９３】
１）文書名称順
２）印刷要求時刻順（文書処理要求順）
３）文書番号順
４）ページ情報順
すなわち、ソート部３４は、１）のソート条件では、文書名またはジョブ名の名称順にグループ文書内の蓄積文書をソートする。したがって、例えば、所望の印刷順にジョブ名の先頭に数字を昇順に付けることで、その数字の順でソートすることができる。
【００９４】
ソート部３４は、２）のソート条件では、印刷要求の時刻順にグループ文書内の蓄積文書をソートする。したがって、例えば、所望の印刷順で印刷要求を行うと、その印刷要求の順でソートすることができる。
【００９５】
ソート部３４は、３）のソート条件では、文書番号の昇順または降順でグループ文書内の蓄積文書をソートする。したがって、例えば、印刷要求する文書に所望の印刷順となるように文書番号を付与すると、その順でソートさせて印刷させることができる。
【００９６】
ソート部３４は、４）のソート条件では、文書に付与されたページの昇順または降順でグループ文書内の蓄積文書をソートする。したがって、例えば、印刷要求する文書に所望のページ順となるようにページ情報を付与すると、その順でソートされて印刷させることができる。
【００９７】
さらに、ソート部３４は、上記ソート条件でソートした結果に対して、印刷後の仕上がりを考慮して、以下の再ソート条件で再度ソート処理を実行してもよい。
【００９８】
再ソート条件としては、次の再ソート条件を用いることができる。
【００９９】
１）用紙サイズ順
２）用紙方向順
ソート部３４は、１）の再ソート条件では、例えば、用紙サイズが小さい順であると、グループ文書内の蓄積文書を、用紙サイズの小さい蓄積文書から大きい蓄積文書へとソートする。したがって、用紙サイズの小さい順に印刷物を重ねることができ、印刷後の印刷物の取り扱いを容易にすることができる。
【０１００】
ソート部３４は、２）の再ソート条件では、例えば、用紙方向が短辺送り順であると、用紙方向が短辺送りの蓄積文書から長辺送りの蓄積文書へとソートする。したがって、画像形成装置Ｇｋは、先に短辺の印刷物をまとめて印刷出力し、その後、長辺の印刷物をまとめて印刷出力することができる。その結果、印刷物の閲覧を行いやすくすることができる。また、画像形成装置Ｇｋは、印刷時の排紙トレイの切替動作を少なくすることができ、印刷効率を向上させて印刷速度が向上させることができる。
【０１０１】
このように、本実施例の画像処理システム１は、その画像形成装置Ｇｋが、グループ条件、ソート条件及び文書処理条件の付与されている蓄積文書を含む複数の文書を蓄積する蓄積部（蓄積手段）３２と、前記蓄積文書処理条件の前記ループ化条件に基づいて、前記文書をグループ文書としてグループ化するグループ化部（グループ化手段）３３と、前記蓄積文書処理条件の前記ソート条件に基づいて、前記グループ文書の前記文書をソートするソート部（ソート手段）３４と、前記蓄積文書処理条件の前記文書処理条件に基づいて、前記グループ化及び前記ソートされた前記グループ文書に対して文書処理を実行する文書処理実行部（文書処理実行手段）３５と、前記蓄積文書処理条件の付与されている文書を、前記蓄積部３２の文書から検知する検知部（検知手段）３６と、前記検知部３６による検知結果に基づいて、前記蓄積文書処理条件に基づいて、前記グループ化部３３、前記ソート部３４及び前記文書処理実行部３５の動作を制御する制御部（制御手段）３７と、を備えている。
【０１０２】
したがって、蓄積されている複数の文書を、蓄積文書処理条件に基づいて、グループ化、ソートして、纏めて文書処理条件に基づいて文書処理することができ、蓄積されている複数の文書に対して、選別条件と処理条件に応じた文書処理を容易に行うことができる。
【０１０３】
また、本実施例の画像処理システム１は、ホスト装置ＨＳ１〜ＨＳｎから文書を画像形成装置（画像処理装置）Ｇｋに送信し、該画像形成装置Ｇｋが、複数の文書を蓄積して、蓄積した該文書に対して文書処理を行う画像処理システムであって、グループ条件、ソート条件及び文書処理条件の付与されている蓄積文書を含む複数の文書を蓄積する蓄積部（蓄積手段）３２と、前記蓄積文書処理条件の前記ループ化条件に基づいて、前記文書をグループ文書としてグループ化するグループ化部（グループ化手段）３３と、前記蓄積文書処理条件の前記ソート条件に基づいて、前記グループ文書の前記文書をソートするソート部（ソート手段）３４と、前記蓄積文書処理条件の前記文書処理条件に基づいて、前記グループ化及び前記ソートされた前記グループ文書に対して文書処理を実行する文書処理実行部（文書処理実行手段）３５と、前記蓄積文書処理条件の付与されている文書を、前記蓄積部３２の文書から検知する検知部（検知手段）３６と、前記検知部３６による検知結果に基づいて、前記蓄積文書処理条件に基づいて、前記グループ化部３３、前記ソート部３４及び前記文書処理実行部３５の動作を制御する制御部（制御手段）３７と、を備えている。
【０１０４】
したがって、蓄積されている複数の文書を、蓄積文書処理条件に基づいて、グループ化、ソートして、纏めて文書処理条件に基づいて文書処理することができ、蓄積されている複数の文書に対して、選別条件と処理条件に応じた文書処理を容易に行うことができる。
【０１０５】
さらに、本実施例の画像処理システム１は、その画像形成装置Ｇｋが、グループ条件、ソート条件及び文書処理条件の付与されている蓄積文書を含む複数の文書を蓄積部（蓄積手段）３２に蓄積する蓄積処理ステップと、前記蓄積文書処理条件の前記ループ化条件に基づいて、前記文書をグループ文書としてグループ化するグループ化処理ステップと、前記蓄積文書処理条件の前記ソート条件に基づいて、前記グループ文書の前記文書をソートするソート処理ステップと、前記蓄積文書処理条件の前記文書処理条件に基づいて、前記グループ化及び前記ソートされた前記グループ文書に対して文書処理を実行する文書処理実行処理ステップと、前記蓄積文書処理条件の付与されている文書を、前記蓄積部３２の文書から検知する検知処理ステップと、前記検知処理ステップでの検知結果に基づいて、前記蓄積文書処理条件に基づいて、前記グループ化処理ステップ、前記ソート処理ステップ及び前記文書処理実行処理ステップでの動作を制御する制御処理ステップと、を有する画像処理方法を実行する。
【０１０６】
したがって、蓄積されている複数の文書を、蓄積文書処理条件に基づいて、グループ化、ソートして、纏めて文書処理条件に基づいて文書処理することができ、蓄積されている複数の文書に対して、選別条件と処理条件に応じた文書処理を容易に行うことができる。
【０１０７】
また、本実施例の画像処理システム１は、その画像形成装置Ｇｋが、ＣＰＵ２１等の制御プロセッサに、グループ条件、ソート条件及び文書処理条件の付与されている蓄積文書を含む複数の文書を蓄積部３２に蓄積する蓄積処理と、前記蓄積文書処理条件の前記ループ化条件に基づいて、前記文書をグループ文書としてグループ化するグループ化処理と、前記蓄積文書処理条件の前記ソート条件に基づいて、前記グループ文書の前記文書をソートするソート処理と、前記蓄積文書処理条件の前記文書処理条件に基づいて、前記グループ化及び前記ソートされた前記グループ文書に対して文書処理を実行する文書処理実行処理と、前記蓄積文書処理条件の付与されている文書を、前記蓄積部３２の文書から検知する検知処理と、前記検知処理での検知結果に基づいて、前記蓄積文書処理条件に基づいて、前記グループ化処理、前記ソート処理及び前記文書処理実行処理での動作を制御する制御処理と、を実行させるプログラムを搭載している。
【０１０８】
したがって、蓄積されている複数の文書を、蓄積文書処理条件に基づいて、グループ化、ソートして、纏めて文書処理条件に基づいて文書処理することができ、蓄積されている複数の文書に対して、選別条件と処理条件に応じた文書処理を容易に行うことができる。
【０１０９】
さらに、本実施例の画像処理システム１は、その画像形成装置Ｇｋの前記グループ化部３３が、前記グループ化条件として、前記文書に付加されている特定のＩＤ、該文書の文書処理要求時期、該文書の作成に使用されたアプリケーションソフトウェア、該文書のページ条件及び前記文書処理条件のうち少なくとも１つを用いて該文書をグループ化する。
【０１１０】
したがって、各種グループ化条件に基づいて文書をグループ化することができ、蓄積されている複数の文書に対して、より一層適切な選別条件と処理条件に応じた文書処理を容易に行うことができる。
【０１１１】
また、本実施例の画像処理システム１は、その画像形成装置Ｇｋが、ホスト装置（外部装置）ＨＳ１〜ＨＳｎからの文書処理要求に応じて前記文書を受け取って前記蓄積部３２へ蓄積するデータ受取部（文書受取手段）３１を、さらに備え、前記グループ化部３３が、特定のホスト装置ＨＳ１〜ＨＳｎを前記グループ化条件として、該ホスト装置ＨＳ１〜ＨＳｎから受け取った前記文書をグループ化する。
【０１１２】
したがって、文書処理要求を行ったホスト装置ＨＳ１〜ＨＳｎに基づいて文書をグループ化することができ、蓄積されている複数の文書に対して、より一層適切な選別条件と処理条件に応じた文書処理を容易に行うことができる。
【０１１３】
さらに、本実施例の画像処理システム１は、その画像形成装置Ｇｋの前記ソート部３４が、前記文書の文書名、文書番号、該文書に付与されているページ順、該文書に対する前記文書処理要求順のうち、少なくとも１つを前記ソート条件として、前記グループ文書をソートする。
【０１１４】
したがって、各種ソート条件に基づいてグループ文書の文書をソートすることができ、蓄積されている複数の文書に対して、より一層適切な選別条件と処理条件に応じた文書処理を容易に行うことができる。
【０１１５】
また、本実施例の画像処理システム１は、その画像形成装置Ｇｋの前記文書処理実行部３５が、前記画像処理として、前記文書と前記蓄積文書処理条件の前記文書処理条件としての印刷条件に基づいて、被記録媒体に画像を印刷出力する。
【０１１６】
したがって、文書処理として印刷処理を行う場合にも、蓄積されている複数の文書を、蓄積文書処理条件に基づいて、グループ化、ソートして、纏めて印刷処理条件に基づいて印刷処理することができ、蓄積されている複数の文書に対して、選別条件と処理条件に応じた印刷処理を容易に行うことができる。
【０１１７】
さらに、本実施例の画像処理システム１は、その画像形成装置Ｇｋの前記グループ化部３３が、前記文書処理条件としての印刷条件、印刷における被記録媒体の種類、サイズ、向き、該印刷後の後処理条件のうち、少なくとも１つを前記グループ化条件として前記文書をグループ化する。
【０１１８】
したがって、文書処理として印刷処理を行う場合に、該印刷処理に応じたグループ化条件でグループ化して、印刷処理することができる。その結果、蓄積されている複数の文書に対して、適切なグループ化条件を含む選別条件と処理条件に応じた印刷処理を容易に行うことができる。
【０１１９】
また、本実施例の画像処理システム１は、その画像形成装置Ｇｋの前記ソート部３４が、前記文書処理としての印刷条件における被記録媒体の種類、サイズ、向き及び該印刷後の後処理条件のうち、少なくとも１つを前記ソート条件として、前記グループ文書をソートする。
【０１２０】
したがって、文書処理として印刷処理を行う場合に、該印刷処理に応じたソート条件でグループ文書をソートして、印刷処理することができる。その結果、蓄積されている複数の文書に対して、適切なソート条件を含む選別条件と処理条件に応じた印刷処理を容易に行うことができる。
【０１２１】
さらに、本実施例の画像処理システム１は、その画像形成装置Ｇｋの前記文書処理実行部３５が、前記グループ化及び前記ソートされた前記グループ文書を１つの文書として文書処理を実行する。
【０１２２】
したがって、グループ化及びソートされた複数の文書からなるグループ文書を１つの文書として文書処理することができ、利用性を向上させることができる。
【０１２３】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１２４】
１  画像処理システム
ＮＷ  ネットワーク
Ｇｋ  画像形成装置
Ｓｖ  プリントサーバ
ＨＳ１〜ＨＳｎ  ホスト装置
１０  コントローラ
１１  スキャナ部
１２  プリンタ部
１３  操作表示部
２１  ＣＰＵ
２２  ＲＯＭ
２３  ＲＡＭ
２４  ハードディスク
２５  ネットワークＩ／Ｆ
２６  スキャナＩ／Ｆ
２７  プリンタＩ／Ｆ
２８  パネルＩ／Ｆ
２９  バス
３１  データ受取部
３２  蓄積部
３３  グループ化部
３４  ソート部
３５  文書処理実行部
３６  検知部
３７  制御部
【先行技術文献】
【特許文献】
【０１２５】
【特許文献１】特開２００３−２８０８４３号公報
【図１】
2017046251.tif 000003
【図２】
2017046251.tif 000004
【図３】
2017046251.tif 000005
【図４】
2017046251.tif 000006
【図５】
2017046251.tif 000007
【図６】
2017046251.tif 000008